(57)【要約】【課題】  ユーザがチャンネル切り替えを要求した時点から、この切り替え先のチャンネルを表示可能になるまでの期間に、チャンネル切り替え先の番組を即座に提示することが可能なデジタルテレビジョン放送受信装置を提供する。【解決手段】  ユーザが第１のチューナで１ｃｈを視聴中に２ｃｈに切り替えを行った時に、予め第２のチューナで２ｃｈの画像を受信し記憶手段に記憶しておいた画像をディスプレイに表示する。第１のチューナから画像が出力できる準備ができたら第１のチューナからの画像に切り換えてディスプレイへ表示する。【選択図】      図６
2008005429.tif 000002
【特許請求の範囲】
【請求項１】
デジタル放送の番組を受信し、この受信した番組を表示するために出力する第１の番組受信手段と、
前記第１の番組受信手段で受信している番組とは異なる他の番組を受信する第２の番組受信手段と、
この第２の番組受信手段で受信した前記他の番組を記憶手段に記憶させる記憶制御手段と、
前記第１の番組受信手段が他の番組に切り替えたときに、前記記憶手段が記憶する前記他の番組を出力した後に、前記切り替えた番組を出力させる番組切替制御手段とを備えたことを特徴とするデジタルテレビジョン放送受信装置。
【請求項２】
前記第２の番組受信手段は、前記第１の番組受信手段で受信していないデジタル放送の他の番組を切り替えながら受信することを特徴とする請求項１記載のデジタルテレビジョン放送受信装置。
【請求項３】
更に、前記第１の番組受信手段が受信した番組を前記記憶手段に記憶させる手段を有し、
前記番組切替制御手段は、前記第１の番組受信手段が再度前記番組に切り替え戻したときに、前記記憶手段が記憶する前記番組を出力した後に、前記切り替え戻した番組を出力させることを特徴とする請求項１記載のデジタルテレビジョン放送受信装置。
【請求項４】
前記記憶制御手段は、前記第２の番組受信手段で受信した前記他の番組として、複数枚の画像信号として記憶手段に記憶させ、
前記番組切替制御手段は、前記記憶手段が記憶する前記他の番組を出力するときに、前記複数枚の画像信号を合成して出力させることを特徴とする請求項１記載のデジタルテレビジョン放送受信装置。
【請求項５】
前記記憶制御手段は、この第２の番組受信手段で受信した前記他の番組が切り替わる毎に、この切り替わった番組開始から所定時間後の番組の画像を前記記憶手段に記憶させることを特徴とする請求項１記載のデジタルテレビジョン放送受信装置。
【請求項６】
第１の番組受信手段によりデジタル放送の番組を受信し、この受信した番組を表示するために出力し、
第２の番組受信手段により前記第１の番組受信手段で受信している番組とは異なる他の番組を受信し、
前記第２の番組受信手段で受信した前記他の番組を記憶手段に記憶させ、
前記第１の番組受信手段が他の番組に切り替えたときに、前記記憶手段が記憶する前記他の番組を出力した後に、前記切り替えた番組を出力させることを特徴とするデジタルテレビジョン放送受信方法。
【発明の詳細な説明】
【技術分野】
【０００１】
この発明は、放送受信装置に関し、特にデジタルテレビジョン放送受信装置に関する。
【背景技術】
【０００２】
デジタルテレビジョン放送受信装置において視聴チャンネルの切り替えを行う場合、チューナの選局処理、エラー訂正、ＴＳのデコードなどに一定以上の時間がかかるため、即座にチャンネル切り替え先の番組を表示出力することができない。
【０００３】
従来、このようなチャンネル切り替え先の番組を表示することができない期間（以下、ブラックアウト期間とも記す場合がある）に、キーワードで登録され、検索された該当する情報をチャンネルに表示をし、所定時間表示させた後、チャンネルの画面に切り替えるデジタル放送受信装置が知られている（例えば、特許文献１参照）。また、上記ブラックアウト期間に、番組に付随して記憶されたコマーシャル情報を表示するようにしているものもある（例えば、特許文献２参照）。
【特許文献１】特開２００５−１６７４１５公報
【特許文献２】特開２００５−０８０１０２公報
【発明の開示】
【発明が解決しようとする課題】
【０００４】
しかし、デジタルテレビジョン放送受信装置においては、チャンネルを次々と切り替えて視聴したい番組を探す行為、所謂ザッピングを行っているユーザは、チャンネル切り替え先の番組が視聴したい番組か否かを即座に判断したいという要望があるにも拘らず、チャンネル切り替え先の番組が表示されないため、そのチャンネルの視聴を続けるか、更に次のチャンネルに切り替えていくかの判断を即座に行うことができないとうい問題があった。
【０００５】
この発明は、ユーザがチャンネル切り替えを要求した時点から、この切り替え先のチャンネルを表示可能になるまでの期間に、チャンネル切り替え先の番組を即座に提示することが可能なデジタルテレビジョン放送受信装置を提供することを目的とする。
【課題を解決するための手段】
【０００６】
上記の目的を達成するために、この発明においては、デジタル放送の番組を受信し、この受信した番組を表示するために出力する第１の番組受信手段と、前記第１の番組受信手段で受信している番組とは異なる他の番組を受信する第２の番組受信手段と、この第２の番組受信手段で受信した前記他の番組を記憶手段に記憶させる記憶制御手段と、前記第１の番組受信手段が他の番組に切り替えたときに、前記記憶手段が記憶する前記他の番組を出力した後に、前記切り替えた番組を出力させる番組切替制御手段とを備えたことを特徴とするデジタルテレビジョン放送受信装置を提供する。
【０００７】
また、上記の目的を達成するために、この発明においては、第１の番組受信手段によりデジタル放送の番組を受信し、この受信した番組を表示するために出力し、第２の番組受信手段により前記第１の番組受信手段で受信している番組とは異なる他の番組を受信し、前記第２の番組受信手段で受信した前記他の番組を記憶手段に記憶させ、前記第１の番組受信手段が他の番組に切り替えたときに、前記記憶手段が記憶する前記他の番組を出力した後に、前記切り替えた番組を出力させることを特徴とするデジタルテレビジョン放送受信方法を提供する。
【発明の効果】
【０００８】
この発明によれば、ユーザがチャンネル切り替えを要求した時点から、この切り替え先のチャンネルの番組を表示可能になるまでのブラックアウト期間に、チャンネル切り替え先で放送されているであろうと考えられる番組を即座に提示することが可能なデジタルテレビジョン放送受信装置を提供することができる。
【発明を実施するための最良の形態】
【０００９】
以下、図面を参照しながら本発明の第１の実施形態について説明する。
（第1の実施形態）
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びＩＥＥＥ１３９４端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２０】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ＩＥＥＥ１３９４端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
このデジタルテレビジョン放送受信装置１１１は２系統の地上デジタル放送用のチューナを有すると共に、この２系統の地上デジタル放送チューナで受信した２つの番組を同時にデコードする２系統分のデコード機能（デコーダ１、デコーダ２）を有している。このように構成されているため２系統の地上デジタル放送番組を同時にデコードすることができる。
【００２４】
すなわち、地上波放送受信用のアンテナ２４３で受信した地上デジタルテレビジョン放送信号は、入力端子２４４を介して第１の地上デジタル放送用のチューナ２４５ａに供給される。
【００２５】
チューナ２４５ａは、制御部２６１からの制御信号により所望のチャンネルの放送信号を選局し、この選局された放送信号をＯＦＤＭ（Orthogonal Frequency Division Multiplexing）復調器２４５ｂに出力する。
【００２６】
ＯＦＤＭ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望のチャンネルの番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報をセクション処理部２４７ｈへ出力する。
また、地上波放送受信用のアンテナ２４８で受信した地上デジタルテレビジョン放送信号は、入力端子２４９を介して第２の地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望のチャンネルの番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的或いは両方について所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、ＩＥＥＥ１３９４  Ｉ／Ｆ２７２を介してＩＥＥＥ１３９４端子１２４に接続されている。これにより、制御部２６１は、ＩＥＥＥ１３９４端子１２４に接続された各機器（図１参照）と、ＩＥＥＥ１３９４  Ｉ／Ｆ２７２を介して情報伝送することができる。
【００４７】
ところで、この実施形態では、ＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００５１】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
（準備処理）
以下、チャンネル切り替え時に表示する番組の情報を準備しておく処理について図３を用いて詳細に説明する。
先にも説明した通り、この実施の形態においてデジタルテレビジョン放送受信装置１１１は、２系統の地上デジタル放送用のチューナを有すると共に、この２系統の地上デジタル放送チューナで受信した２つの番組を同時にデコード可能な２系統分の機能を持ったデコーダ（信号処理部２４７）を有している。これにより二つのチャンネルの番組を同時に取得することが可能となっている。
【００５３】
ここで、デジタルテレビジョン放送受信装置１１１のチューナ２４５、信号処理部２４７内のデコーダ１を第１の系統の番組受信部と称し、チューナ２５０、信号処理部２４７内のデコーダ２を第２の系統の番組受信部と称し、以下、説明する。
【００５４】
この準備処理は制御部２６１による図３の制御によって常に裏で動作している。以下、一例として受信可能な地上デジタル放送は第１のチャンネルから第１０のチャンネルの１０チャンネル分存在しているものとして説明する。
【００５５】
今、第１の系統の番組受信部により第５のチャンネルの地上デジタル放送の番組を視聴しているものとする。
ステップＳ３０１：まず、制御部２６１は、チャンネルスキャンを開始する頭のチャンネルを決定する。ここでは例えば第１のチャンネルを決定する。
ステップＳ３０２：制御部２６１は、ステップＳ３０１で決定されたチャンネルが第１の系統の番組受信部で受信しているチャンネルか否か判断し、そうであればステップＳ３０３へ進み、そうでなければステップＳ３０４へ進む。
【００５６】
ステップＳ３０３：制御部２６１は、ステップＳ３０１で決定されたチャンネルが第１の系統の番組受信部で受信しているチャンネルなので、第１の系統の番組受信部で受信した番組の映像信号および音声信号を例えば１秒間分だけ、チャンネルに対応付けてＲＡＭ２６１ｂに取り込み、ステップＳ３０５へ進む。なお、この例では映像信号および音声信号の両方を取り込むことで説明するが、必ずしも両方を取り込む必要はない、また、映像信号は動画でなく静止画としても良い。
【００５７】
ステップＳ３０４：制御部２６１は、ステップＳ３０１で決定されたチャンネルが第１の系統の番組受信部で受信していないチャンネルなので、第２の系統の番組受信部を決定したチャンネルに切り替え、第２の系統の番組受信部で受信した番組の映像信号および音声信号を例えば１秒間分だけ、チャンネルに対応付けてＲＡＭ２６１ｂに取り込み、ステップＳ３０５へ進む。
【００５８】
この例では、第１の系統の番組受信部は第５のチャンネルの地上デジタル放送の番組を視聴していることを例としているので、第５のチャンネルのみステップＳ３０３で第１の系統の番組受信部で受信した番組の映像信号および音声信号を取り込み、他のチャンネルについてはステップＳ３０４で第２の系統の番組受信部で受信した番組の映像信号および音声信号を取り込むこととなる。
【００５９】
なお、上記したステップＳ３０３およびステップＳ３０４でわざわざ場合分けしている理由は、第１の系統の番組受信部が受信しているチャンネルを、わざわざ第２の系統の番組受信部で受信して取り込むような無駄を避けるためである。また、２つのチューナで同じチャンネルを平行して処理したときに発生する干渉を防ぐ目的もある。
【００６０】
また、上記ステップＳ３０３およびステップＳ３０４での対応付ける方法としては、例えば第１のチャンネル専用の固定したメモリ領域を予め設けておくことで対応付ければ良い。また、１秒間分という長さは一例であり、ブラックアウト期間の長さに合わせて適宜決めればよい。
【００６１】
ステップＳ３０５：制御部２６１は、最後のチャンネル、この例では第１０のチャンネルであるか否かを判断し、最後のチャンネルであればステップＳ３０１へ戻り、最後のチャンネルでなければステップＳ３０６へ進む。
【００６２】
ステップＳ３０６：制御部２６１は、切り替えるチャンネルを次のチャンネルと決定する。例えば、第１，第２，第３，…，第１０というようにスキャンしていくように、次のチャンネルを決定する。
【００６３】
このスキャンの結果、各チャンネルの番組の１秒間分だけの映像信号および音声信号が、チャンネルに対応付けられＲＡＭ２６１ｂに取り込まれる。この準備処理は制御部２６１による図３の制御によって常に裏で動作しているので、例えば１巡回するまでに要す時間が２０秒間掛かるのであれば、例えば最長で２０秒前に放送された１秒分の信号がＲＡＭ２６１ｂに取り込まれることとなる。
【００６４】
このように２系統の回路を用いて二つのチャンネルの番組を同時に取得し、一方の系統の回路を用いて番組視聴している期間に他方の系統の回路を用いてチャンネルを切り替えてチャンネルスキャンし、各チャンネルで放送されている映像信号と音声信号を記憶手段に取り込んでいる。
【００６５】
図４は、このようにしてチャンネルスキャンにより取り込まれる様子を示すタイムチャートである。
（チャンネル切り替え時の処理）
以下、チャンネル切り替え時の処理について図５を用いて詳細に説明する。
ステップＳ５０１：制御部２６１は、受光部１１８を介してリモートコントローラ１１７から送信されるチャンネル切り替え情報を受ける。
ステップＳ５０２：制御部２６１は、チャンネル切替えが発生すると、ＲＡＭ２６１ｂに取り込まれていた、切り替えられたチャンネルの番組の映像信号および音声信号を読出して映像表示器１１４に表示させる。
【００６６】
ステップＳ５０３：制御部２６１は、１秒後、第１の系統の番組受信部で受信した映像信号と音声信号を映像表示器１１４に表示させる。なお、ここでは新たに受信準備が整うまでの時間が仮に１秒要すとして１秒後に切り替えているが、例えば第１の系統の番組受信部で受信した映像信号と音声信号が正常に受信できたことを検出して、検出した時点で切り替えるようにしてもよい。
【００６７】
（表示形態の例）
図６には、例として、ユーザが第１チャンネルの番組の視聴を行い、途中で第２チャンネルに切り替えを行ったときの、ディスプレイの表示と、第１の系統の番組受信部の動作を表したタイムチャートである。この発明は、第１の系統の番組受信部がチャンネル切り替えを行っている間（ブラックアウト期間）に提示する画像の取得方法、及び、表示方法に関するものである。
【００６８】
このブラックアウト期間の画像の表示形態としては、切り替えた先のチャンネルのチャンネルサーチ（巡回取り込み）時に取り込んだ１枚の画像のみを表示する図７に示す例、画像と一緒に切り替えた先のチャンネルの番組情報を表示する図９に示す例のいずれとしてもよい。図９での合成処理についてはグラフィック処理部２５４で合成処理させる。
【００６９】
なお、音声を再生する場合には図７は１画面なので問題ないが、図８および図９については複数の番組画像が表示されてしまうので音声は再生しないようにしてもよい。
【００７０】
また、図８および図９については、番組の動画を複数平行して再生する場合には、信号処理部２４７にも再生される動画像の数に応じたエンコーダを設けておけばよい。
【００７１】
（第２の実施形態）
以下、第２の実施形態について説明する。この第２の実施形態については第１の実施の形態とほぼ同じであり、異なる部分についてのみ説明する。
第１の実施形態では、図４に示すように第２の系統の番組受信部は、予め決められた周期で、全てのチャンネルを繰り返しスキャンしていき、各チャンネルで放送されている番組の映像信号と音声信号とを記憶媒体であるＲＡＭ２６１ｂに蓄積した。
【００７２】
しかし、この第２の実施の形態では、図４に示すように第２の系統の番組受信部は、予め決められた周期で、全てのチャンネルを繰り返しスキャンしていき、各チャンネルで放送されている番組の静止画像を一定時間毎に記憶媒体であるＲＡＭ２６１ｂに蓄積していく点で第１の実施の形態と異なる。
【００７３】
このように各チャンネルについて一定時間毎に静止画像を蓄積していくとき、予め設定された枚数より過去の画像は破棄するようにする。このようにすると現在放送中の各チャンネルにて放送された番組の直近の複数枚の静止画像を得ることができる。これらの静止画像、または、これらを加工した静止画像をＲＡＭ等の高速な記憶媒体に記憶しておき、チャンネル切り替え時のブラックアウト期間に、この切り替え先のチャンネルで過去に取得された静止画像を、チャンネル切り替え先の生の映像に代えて、即座に再生表示する。
【００７４】
このブラックアウト期間の画像の表示形態としては、切り替えた先のチャンネルのチャンネルサーチ（巡回取り込み）時に取り込んだ１枚の画像のみを表示する図７に示す例、複数の画像を表示する図８に示す例、画像と一緒に切り替えた先のチャンネルの番組情報を表示する図９に示す例のいずれとしてもよい。図８や図９での合成処理についてはグラフィック処理部２５４で合成処理させる。
【００７５】
この結果、チャンネル切り替え時に本来は何も映像が表示されないブラックアウト期間に、図１０のように、そのチャンネルで放送された番組の直近の一枚または、複数枚の画像をユーザに即座に提示することが可能であり、ユーザにその番組内容を的確に推察させることができる。
【００７６】
（第３の実施形態）
以下、第３の実施形態について説明する。この第３の実施形態については第２の実施の形態とほぼ同じであり、異なる部分についてのみ説明する。
この第３の実施形態では、図１１に示すように第２の系統の番組受信部は、電子番組表から得た番組開始時刻と現在の時刻とを比較し、番組の開始時刻から指定時間後に一枚、または、複数枚の画像を取得し、これを記憶媒体であるＲＡＭ２６１ｂに記憶していく点で第１の実施形態と異なる。第２の系統の番組受信部では、全てのチャンネルの番組に関してこの動作を行う。
【００７７】
このように各チャンネルについて一定時間毎に静止画像を蓄積していくとき、予め設定された枚数より過去の画像は破棄するようにする。このようにすると現在放送中の各チャンネルにて放送された番組の直近の複数枚の静止画像を得ることができる。これらの静止画像、または、これらを加工した静止画像をＲＡＭ等の高速な記憶媒体に記憶しておき、チャンネル切り替え時のブラックアウト期間に、この切り替え先のチャンネルで過去に取得された静止画像を、チャンネル切り替え先の生の映像に代えて、即座に再生表示する。
【００７８】
このブラックアウト期間の画像の表示形態としては、図１２に示すように、切り替え先のチャンネルで放送されている番組に関する番組開始から所定時間後の画像をユーザに即座に提示することが可能であり、ユーザにその番組内容を的確に推察させることができる。図１２での合成処理についてはグラフィック処理部２５４で合成処理させる。
【００７９】
以上説明した通りこの第３の実施形態では、第２の実施形態と比較して、ＣＭ中の画像を取得してしまう可能性を低減することができる。これは一般的に番組開始後から一定期間はＣＭを放送しない傾向があるためである。この画像を第２の実施形態の画像と同様に使用することにより、ユーザにより的確にチャンネル切り替え先で放送されている番組内容を推察させることができる。
【００８０】
（第４の実施形態）
以下、第４の実施形態について説明する。この第４の実施形態については第３の実施の形態とほぼ同じであり、異なる部分についてのみ説明する。
この第４の実施形態では、第３の実施形態と同様、図１１に示すように第２の系統の番組受信部は、電子番組表から得た番組開始時刻と現在の時刻とを比較し、番組の開始時刻から指定時間後に一枚、または、複数枚の画像を取得し、これを記憶媒体であるＲＡＭ２６１ｂに記憶していく点で第１の実施形態と異なる。第２の系統の番組受信部では、全てのチャンネルの番組に関してこの動作を行う。そして記憶媒体であるＲＡＭ２６１ｂに記憶した静止画は、この取得した番組が終了してから一週間以降後に自動的に削除するようにする。
【００８１】
これをチャンネル切り替えに関係なく動作させることで、放送中の全ての番組に対して、一週間前の同一チャンネル・同一時間帯で放送された番組の静止画像を取得しておくことができる。
【００８２】
この第４の実施形態では、一週間前の同一チャンネル・同一時間帯で放送された番組の画像を第３の実施形態の画像と同様に使用することにより、ユーザにより的確にチャンネル切り替え先で放送されている内容を推察させることができる。これは現在の番組と一週間前の同一チャンネル・同一時刻で放送していた番組とは類似度が高い場合が多いということに基づいている。これについては週が変わって全く別の内容の画像を表示させてしまうこともあるが、多くは似た番組であるからメリットの方が多いと考える。
【００８３】
以上説明した通りこの第４の実施形態では、チャンネル切り替え時に本来は何も映像が表示されないブラックアウト期間に、図１３に示すように、現在の番組開始以前において、これから放送する番組情報を提示可能であるというメリットがある。図１３での合成処理についてはグラフィック処理部２５４で合成処理させる。
【００８４】
（他の変形例）
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【００８５】
例えば、第１〜第４の実施形態により取得した画像を種々組み合わせて複数枚使用して、ブラックアウト期間のコンテンツを作成する。これにより、ユーザにより的確にチャンネル切り替え先で放送されている内容を推察させることができる。例えば。チャンネル切り替え時に本来は何も映像が表示されないブラックアウト期間に、図１４に示すような番組情報を提示可能であるというメリットがある。図１４での合成処理についてはグラフィック処理部２５４で合成処理させる。
【００８６】
以上説明したとおり、本発明によれば、ユーザがチャンネル切り替えを要求した時点から、この切り替え先のチャンネルの番組を表示可能になるまでのブラックアウト期間に、チャンネル切り替え先で放送されているであろうと考えられる番組を即座に提示することが可能なデジタルテレビジョン放送受信装置を提供することができる。
【００８７】
よって、ザッピングを行っているユーザが、切り替え先のチャンネルで放送中の番組の視聴の続行・中止を即座に決定できるようになり、前述のユーザの不快感を減少させることができる。
【図面の簡単な説明】
【００８８】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】チャンネル切り替え時に表示する番組の情報を準備しておく処理を説明するためのフローチャートである。
【図４】チャンネルスキャンにより取り込まれる様子を示すタイムチャート。
【図５】チャンネル切り替え時の処理を説明するためのフローチャートである。
【図６】ユーザが第１チャンネルの番組の視聴を行い、途中で第２チャンネルに切り替えを行ったときの、ディスプレイの表示と、第１の系統の番組受信部の動作を表したタイムチャートである。
【図７】チャンネル切り替え中の画面表示例（１画像表示）を示す図。
【図８】チャンネル切り替え中の画面表示例（複数画像表示）を示す図。
【図９】チャンネル切り替え中の画面表示例（番組情報も同時表示）を示す図。
【図１０】チャンネル切り替え中の画面表示例（第２の実施形態）を示す図。
【図１１】チャンネル切り替え時に、切り替え先の番組を推測するために記憶媒体に番組を取り込む動作を説明するためのタイムチャート（第３の実施形態）を示す図。
【図１２】チャンネル切り替え中の画面表示例（第３の実施形態）を示す図。
【図１３】チャンネル切り替え中の画面表示例（第４の実施形態）を示す図。
【図１４】チャンネル切り替え中の画面表示例（他の変形例）を示す図。
【符号の説明】
【００８９】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ＩＥＥＥ１３９４端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008005429.tif 000003
【図２】
2008005429.tif 000004
【図３】
2008005429.tif 000005
【図４】
2008005429.tif 000006
【図５】
2008005429.tif 000007
【図６】
2008005429.tif 000008
【図７】
2008005429.tif 000009
【図８】
2008005429.tif 000010
【図９】
2008005429.tif 000011
【図１０】
2008005429.tif 000012
【図１１】
2008005429.tif 000013
【図１２】
2008005429.tif 000014
【図１３】
2008005429.tif 000015
【図１４】
2008005429.tif 000016